(57)【要約】【課題】  保護制御装置の故障後に接続された補助記憶装置に各種データ又は設定値を格納する。【解決手段】  アナログ入力回路３１から入力されたアナログの電気量を、Ａ／Ｄ変換器３２によりデジタルに変換し、このデジタルの電気量及びメモリ３５に設定された設定値Ｄ３５２に基づいて、演算装置３３は、電力系統１が事故か否かを判断するための演算をし、事故と判断すると、主保護装置２１を動作させ、保護制御装置３の故障後に、ＵＳＢインタフェース３９に接続されたＵＳＢ補助記憶装置９に、設定値Ｄ３５２又は演算結果などの各種データＤ３５１をＵＳＢ補助記憶装置９に格納する保護制御装置。【選択図】      図１
2008141844.tif 000002
【特許請求の範囲】
【請求項１】
電力系統の状態に応じて、前記電力系統に関する設備に指令を出力する保護制御装置であって、
電力系統からアナログの電気量を入力するアナログ入力回路と、
前記アナログ入力回路から入力された前記電気量をアナログからデジタルに変換するＡ／Ｄ変換手段と、
前記保護制御装置の設定に関する情報である設定情報を格納する設定情報格納手段と、
前記設定情報格納手段により格納された前記設定情報及び前記Ａ／Ｄ変換手段により変換された前記電気量に基づいて、前記電力系統の状態を把握するための演算をする演算手段と、
前記設定情報格納手段に格納された前記設定情報及び前記演算手段による演算結果に基づいて、前記設備に指令を出力するための指令出力手段と、
前記保護制御装置に保持されている情報を記憶するための記憶機器を接続するための記憶機器用インタフェースと、
前記記憶機器用インタフェースに前記記憶機器が接続されると、前記設定情報格納手段に格納された前記設定情報、前記Ａ／Ｄ変換手段により変換されたデジタルの前記電気量、前記演算手段による演算結果の情報、又は前記指令出力手段により出力される指令に関する情報のうち少なくとも１つのデータを前記記憶機器に格納するデータ格納手段と
を備えたことを特徴とする保護制御装置。
【請求項２】
前記データ格納手段により前記記憶機器に格納するデータを予め指定するための一覧であるデータ一覧を格納するデータ一覧格納手段を有し、
前記データ格納手段は、前記データ一覧格納手段に格納された前記データ一覧に基づいて、前記記憶機器にデータを格納すること
を特徴とする請求項１に記載の保護制御装置。
【請求項３】
前記データ格納手段により前記記憶機器に格納するデータを予め指定するための一覧であるデータ一覧が記憶された前記記憶機器から前記データ一覧を読み出すデータ一覧読み出し手段を有し、
前記データ格納手段は、前記データ一覧読み出し手段により読み出された前記データ一覧に基づいて、前記記憶機器にデータを格納すること
を特徴とする請求項１に記載の保護制御装置。
【請求項４】
前記データ格納手段により前記記憶機器にデータを格納するための手順を示したデータ取得手順が記憶された前記記憶機器から前記データ取得手順を読み出すデータ取得手順読み出し手段を有し、
前記データ格納手段は、データ取得手順読み出し手段により読み出された前記データ取得手順に基づいて、前記記憶機器にデータを格納すること
を特徴とする請求項１に記載の保護制御装置。
【請求項５】
前記データ格納手段は、前記設定情報格納手段に格納された前記設定情報に基づいて、前記保護制御装置の装置構成に対応するデータを前記記憶機器にデータを格納すること
を特徴とする請求項１から請求項４のいずれか１項に記載の保護制御装置。
【請求項６】
遠隔にある遠隔用装置と情報を送受信するための経路を接続するネットワークインタフェースを有し、
前記データ格納手段は、前記ネットワークインタフェースを介して前記遠隔用装置から受信した指令に応じて、前記記憶機器にデータを格納すること
を特徴とする請求項１から請求項５のいずれか１項に記載の保護制御装置。
【請求項７】
遠隔にある遠隔用装置と情報を送受信するための経路を接続するネットワークインタフェースと、
前記遠隔用装置に、前記記憶機器へのデータの格納が完了したことを、前記ネットワークインタフェースを介して通知する完了通知手段と
を有することを特徴とする請求項１から請求項６のいずれか１項に記載の保護制御装置。
【請求項８】
遠隔にある遠隔用装置と情報を送受信するための経路を接続するネットワークインタフェースと、
前記ネットワークインタフェースを介して前記遠隔用装置から前記格納手段により前記記憶機器にデータを格納するための手順を示したデータ取得手順を受信するためのデータ取得手順受信手段とを有し、
前記データ格納手段は、前記データ取得手順受信手段に受信した前記データ取得手順に基づいて、前記記憶機器にデータを格納すること
を特徴とする請求項１から請求項７のいずれか１項に記載の保護制御装置。
【請求項９】
前記記憶機器に格納するデータを暗号化する暗号化手段
を有することを特徴とする請求項１から請求項８のいずれか１項に記載の保護制御装置。
【発明の詳細な説明】
【技術分野】
【０００１】
本発明は、電力系統に適用された保護制御装置に関する。
【背景技術】
【０００２】
一般的に、保護制御装置は、アナログ入力回路から入力したディジタルデータを演算し、動作の信号や異常検出結果を出力する。これらの出力のための各種データや設定値などは、保護制御装置内に保持されている。保護制御装置に異常が発生すると、保守作業員は、各種データや設定値などを読み出して状態を把握し、原因を特定する必要がある。そのため、保護制御装置には、表示器や外部機器を接続するためのネットワークインタフェースなどを設けている。これにより、保守作業員は、表示器やネットワークインタフェースに接続された外部機器により、各種データや設定値などを把握する。
【０００３】
しかし、表示器やネットワークインタフェースに障害がある場合には、保守作業員は、各種データや設定値などを把握することができなくなる。
【０００４】
そこで、例えば装置が起動しなくなったときにおいても、各種データや設定値を読み出すために、保護制御装置に着脱可能な補助記憶装置に予め書き込んである各種データや設定値を、装置が起動しなくなった時に補助記憶装置を取り出し、パーソナルコンピュータ（以下、「ＰＣ」という。）などで読み出して内部データを確認する方式が開示されている（例えば、特許文献１参照）。
【特許文献１】特開２００３−７９０４５号公報
【発明の開示】
【発明が解決しようとする課題】
【０００５】
しかしながら、先行技術文献に開示されている装置では、故障時前に、補助記憶装置にデータ等が予め記憶されていない場合には、各種データや設定値を読み出すことができない。例えば、補助記憶装置を取り付けていない場合や補助記憶装置の故障により書き込まれていないなどの場合である。
【０００６】
そこで、本発明の目的は、保護制御装置の故障後に接続された補助記憶装置に各種データ又は設定値を格納することのできる保護制御装置を提供することにある。
【課題を解決するための手段】
【０００７】
本発明は、電力系統の状態に応じて、前記電力系統に関する設備に指令を出力する保護制御装置であって、電力系統からアナログの電気量を入力するアナログ入力回路と、前記アナログ入力回路から入力された前記電気量をアナログからデジタルに変換するＡ／Ｄ変換手段と、前記保護制御装置の設定に関する情報である設定情報を格納する設定情報格納手段と、前記設定情報格納手段により格納された前記設定情報及び前記Ａ／Ｄ変換手段により変換された前記電気量に基づいて、前記電力系統の状態を把握するための演算をする演算手段と、前記設定情報格納手段に格納された前記設定情報及び前記演算手段による演算結果に基づいて、前記設備に指令を出力するための指令出力手段と、前記保護制御装置に保持されている情報を記憶するための記憶機器を接続するための記憶機器用インタフェースと、前記記憶機器用インタフェースに前記記憶機器が接続されると、前記設定情報格納手段に格納された前記設定情報、前記Ａ／Ｄ変換手段により変換されたデジタルの前記電気量、前記演算手段による演算結果の情報、又は前記指令出力手段により出力される指令に関する情報のうち少なくとも１つのデータを前記記憶機器に格納するデータ格納手段とを備えた構成である。
【発明の効果】
【０００８】
本発明によれば、保護制御装置の故障後に接続された補助記憶装置に各種データ又は設定値を格納することのできる保護制御装置を提供することができる。
【発明を実施するための最良の形態】
【０００９】
以下図面を参照して、本発明の実施形態を説明する。
【００１０】
（第１の実施形態）
図１は、本発明の第１の実施形態に係る保護制御装置３の適用された構成を示すブロック図である。なお、以降において、同一部分には同一符号を付してその詳しい説明を省略し、異なる部分について主に述べる。以降の実施形態も同様にして重複した説明を省略する。
【００１１】
保護制御装置３の適用された構成は、電力系統１の電圧及び電流を取り込むように接続した保護制御装置３と、保護制御装置３からの制御を受けるように接続された主保護装置２１及び外部表示器２２とを備えている。
【００１２】
保護制御装置３は、電力系統１を保護及び制御するための装置である。保護制御装置３は、電力系統１の電圧及び電流をディジタルデータに変換して演算し、系統事故及び異常を検出する。保護制御装置３は、系統事故を検出すると、動作信号を出力する。保護制御装置３は、異常を検出すると、異常検出信号を出力する。保護制御装置３は、主にコンピュータにより構成されている装置である。
【００１３】
主保護装置２１は、電力系統１に設けられた遮断器である。主保護装置２１は、保護制御装置３から出力された動作信号を受信する。主保護装置２１は、受信した動作信号に基づいて、電力系統１の回路を遮断する。これにより、主保護装置２１は、電力系統１の保護を行う。
【００１４】
異常表示器２２は、保護制御装置３から出力された異常検出信号に基づいて、異常を表示する。
【００１５】
外部装置２３は、保護制御装置３と情報の送受信を行う。外部装置２３は、保護制御装置３から受信した情報に基づいて、電力系統１の現在の状態を表示したり、保護制御装置３の異常状態を表示したりする。外部装置２３は、例えば監視制御装置である。
【００１６】
保護制御装置３は、アナログ入力回路３１と、アナログ／デジタル変換器（以下、「Ａ／Ｄ変換器」という。）３２と、演算装置３３と、Ｄ／Ｏ回路３４と、メモリ３５と、操作スイッチ３６と、表示器３７と、ネットワークインタフェース３８と、ＵＳＢ(universal serial bus)インタフェース３９とを備えている。保護制御装置３は、これらの各部位が主に演算装置３３と情報を送受信できるように内部バスにより接続されている。
【００１７】
アナログ入力回路３１は、電力系統１から取り込まれた電流又は電圧などの電気量をアナログデータに変換して取り込む。
【００１８】
Ａ／Ｄ変換器３２は、アナログ入力回路３１に入力されたアナログデータをディジタルデータに変換する。Ａ／Ｄ変換器３２は、変換したディジタルデータを演算装置３３に入力する。
【００１９】
演算装置３３は、保護制御装置３における全般の演算処理を行う主要な部分である。演算装置３３は、各種機能を有する。演算装置３３は、主にプログラムが実行されることにより各種機能を実現するが、ハードウェア又はファームウェアを用いて実現してもよいし、これらを組み合せることにより実現してもよい。また、演算装置３３は、必要に応じて、演算処理に用いるために、キャッシュメモリなどの記憶部分を備えていてもよい。演算装置３３は、保護制御装置３を構成する各部分の制御及び監視を行う。例えば、演算装置３３は、以下のような演算処理などを行う。
【００２０】
演算装置３３は、Ａ／Ｄ変換器３２で変換されたディジタルデータを演算する。演算装置３３は、演算結果により、電力系統１の状態を把握する。演算装置３３は、電力系統１の状態が事故であると判断した場合、電力系統１を保護する指令を出力する。
【００２１】
具体的には、演算装置３３は、電力系統１の電流、電圧に相当するディジタルデータを演算し、系統の過電流、過電圧などの異常の有無を判断する。演算装置３３は、電力系統１の異常を検出すると、保護動作の信号をＤ／Ｏ回路３４に出力する。Ｄ／Ｏ回路３４は、保護動作の信号に応じて、対応する出力接点を作動させる。この出力接点の作動により、主保護装置２１は、開放される。
【００２２】
また、演算装置３３は、アナログ入力回路３１、Ａ／Ｄ変換器３２、Ｄ／Ｏ回路３４、メモリ３５、表示器３７、ネットワークインタフェース３８、及びＵＳＢインタフェース３９のデータや状態を範囲チェックやテストデータの読み出しや書き込みを行う事によって、保護制御装置３の監視をして異常の有無の判断を行う。
【００２３】
具体的には、演算装置３３は、保護制御装置３に異常があると判断した場合は、異常検出信号をＤ／Ｏ回路３４に出力する。Ｄ／Ｏ回路３４は、異常検出信号を受信すると、対応する出力接点を作動させる。この出力接点の作動により、保護制御装置３は、異常表示器２２又は表示器３７に保護制御装置３の異常状態を表示する。演算装置３３は、この時に入力したデータや状態および判定結果を、メモリ３５の各種データとして保存する。
【００２４】
演算装置３３は、Ｄ／Ｏ回路３４を介して、主保護装置２１又は異常表示器２２の制御を行う。演算装置３３は、ＬＡＮ（local area network）やシリアル通信などのネットワークインタフェース３８を通して接続されるＰＣなどの装置の要求によって、異常表示や現在の状態を表示する。
【００２５】
演算装置３３は、保守作業員などによってＵＳＢインタフェース３９にＵＳＢ補助記憶装置９が接続されると、メモリ３５に保存されているデータの中からデータ一覧ＤＴで予め定義されたデータを収集し、ＵＳＢ補助記憶装置９に書き込む。
【００２６】
Ｄ／Ｏ回路３４は、演算装置３３からのデジタル信号を検出する回路である。Ｄ／Ｏ回路３４は、演算装置３３から出力される保護動作の信号を受信すると、出力接点を作動させ、主保護装置２１の遮断等を行って、電力系統１の保護を行う。この時のディジタルデータや異常の有無は、メモリ３５に保存される。Ｄ／Ｏ回路３４は、演算装置３３から出力される異常検出信号を受信すると、出力接点を作動させ、異常表示器２２に異常を表示させる。
【００２７】
メモリ３５は、設定値Ｄ３５１、各種データＤ３５２及びデータ一覧ＤＴなどの保護制御装置３で使用される全般のデータを格納している。設定値Ｄ３５１は、例えば、電力系統１の構成を認識するための設定値や事故検出の基準となる単体リレーの整定値及びタイマーなどである。各種データＤ３５２は、例えばアナログ入力回路３１から入力された電力系統１の電圧及び電流に関するデータなどである。メモリ３５に保存されたこれらのデータは、読み出してデータを加工し、分析することによって、アナログ入力回路３１、Ａ／Ｄ変換器３２、Ｄ／Ｏ回路３４などの異常を特定する情報として用いられる。データ一覧ＤＴは、ＵＳＢ補助記憶装置９に格納するためのデータの一覧である。
【００２８】
操作スイッチ３６は、動作状態を設定するためのスイッチである。保守作業員は、操作スイッチ３６により、表示内容の指定や保存データの指定を行う。
【００２９】
表示器３７は、データ及び設定値を表示する。表示器３７は、Ｄ／Ｏ回路３４の出力接点の作動に応じて、保護制御装置３及び電力系統１の異常や現在の状態を表示する。
【００３０】
ネットワークインタフェース３８は、外部装置２３に現在の系統状態及び保護制御装置３の異常状態などの各種データを転送するために、回線を接続するためのインタフェースである。外部装置２３は、ネットワークインタフェース３８を介して、データの確認をすることができる。
【００３１】
ＵＳＢインタフェース３９は、設定値Ｄ３５１や各種データＤ３５２を書き込むためにＵＳＢ補助記憶メディア９を接続するためのインタフェースである。保守作業員は、ＵＳＢ補助記憶メディア９に格納されたデータを確認又は分析する。
【００３２】
図２は、第１の実施形態に係る保護制御装置３の動作を示すフローチャートである。
【００３３】
演算装置３３は、ＵＳＢ補助記憶メディア９が挿入されるまで待ち続けている（ステップＳ１０１のＮｏ）。
【００３４】
演算装置３３は、ＵＳＢ補助記憶メディア９がＵＳＢインタフェース３９に挿入されるとＵＳＢ補助記憶メディア９を読み書き可能な状態にする（ステップＳ１０１のＹｅｓ、ステップＳ１０２）。
【００３５】
演算装置３３は、データ一覧ＤＴに定義されたデータを収集する（ステップＳ１０３）。
【００３６】
演算装置３３は、収集したデータをＵＳＢ補助記憶メディア９に書き込む（ステップＳ１０４）。
【００３７】
演算装置３３は、ＵＳＢ補助記憶メディア９へのアクセスを禁止状態にする（ステップＳ１０５）。
【００３８】
演算装置３３は、ＵＳＢ補助記憶メディア９へのデータ書き込みを終了したこと表示器３７に表示する（ステップＳ１０６）。なお、データ書き込み終了を表示器３７に表示することに限らず、ブザーなどを装備する装置であれば、音や音楽などを鳴らすことによって、書き込み終了を通知してもよいし、表示器３７と併用してもよい。
【００３９】
ＵＳＢ補助記憶メディア９へのデータ書き込みの終了後は、保守作業員は、以下の作業を必要に応じて行う。
【００４０】
保守作業員は、データ書き込み終了の表示が出されると、ＵＳＢ補助記憶装置９を抜き取る。抜き取ったＵＳＢ補助記憶装置９は、ＰＣなどの別の装置（以下、「保守用ＰＣ」という。）に接続する。保守作業員は、保守用ＰＣで動作するプログラムによって各種データや設定値を表示する。保守作業員は、保守用ＰＣで動作するデータの分析プログラムによって、各種データや設定値に基づいて、保護制御装置３の故障箇所を特定する。保守用ＰＣは、特定した故障箇所に対して、保守作業員に修理のためのガイダンスなどを表示する。
【００４１】
本実施形態によれば、故障等が発生した後に（ＵＳＢ補助記憶メディア９が挿入された後に）、データ一覧ＤＴに従って、ＵＳＢ補助記憶メディア９にデータを書き込むため、使われないデータが無駄に書き込まれることを抑えることができる。また、ＵＳＢ補助記憶メディア９に書き込み回数制限などの寿命があっても、必要なときにデータを書き込むため（常時データを書き続ける必要がないため）、ＵＳＢ補助記憶メディア９への書き込みによる故障を抑えることができる。さらに、保守作業員は、保護制御装置３に挿入する前にＵＳＢ補助記憶メディア９が正常であることをＰＣなどで容易に確認ができるため、故障したＵＳＢ補助記憶メディア９を使用前に確実に排除することができる。これにより、故障したＵＳＢ補助記憶メディア９を使用することによる弊害（保護制御装置３の故障又はデータ収集の失敗など）をなくすことができる。
【００４２】
従って、保護制御装置３において障害や異常が発生した時に、保護制御装置３を停止させることなくその原因を特定するために必要なデータを取得することができ、原因箇所の特定および原因箇所の修理あるいは分離が容易となる。
【００４３】
（第２の実施形態）
図３は、第２の実施形態に係る保護制御装置３Ａの適用された構成を示すブロック図である。
【００４４】
保護制御装置３Ａは、図１に示す保護制御装置３において、演算装置３３の代わりに、演算装置３３Ａを設け、メモリ３５に格納されているデータ一覧ＤＴを取り除いたメモリ３５Ａを設けたものである。また、ＵＳＢ補助記憶メディア９Ａは、図１に示すＵＳＢ補助記憶メディア９に、データ一覧ＤＴＡを格納している。データ一覧ＤＴＡは、ＵＳＢ補助記憶メディア９Ａに記憶されている点以外は、第１の実施形態に係るデータ一覧ＤＴと同様の内容のデータである。
【００４５】
演算装置３３Ａは、ＵＳＢ補助記憶メディア９Ａからデータ一覧ＤＴＡを読み出す機能が設けられている。その他は、第１の実施形態に係る演算装置３３と同様である。
【００４６】
図４は、第２の実施形態に係る保護制御装置３Ａの動作を示すフローチャートである。保守作業員は、ＵＳＢ補助記憶メディア９Ａに取得したいデータのデータ一覧ＤＴＡを予め書き込む。
【００４７】
演算装置３３Ａは、ＵＳＢ補助記憶メディア９Ａが挿入されるまで待ち続けている（ステップＳ２０１のＮｏ）。
【００４８】
演算装置３３Ａは、ＵＳＢ補助記憶メディア９ＡがＵＳＢインタフェース３９に挿入されるとＵＳＢ補助記憶メディア９Ａを読み書き可能な状態にする（ステップＳ２０１のＹｅｓ、ステップＳ２０２）。
【００４９】
演算装置３３Ａは、ＵＳＢ補助記憶メディア９Ａに書き込まれたデータ一覧ＤＴＡを読み出す（ステップＳ２０３）。
【００５０】
演算装置３３Ａは、データ一覧ＤＴＡに示されたデータを収集する（ステップＳ２０４）。
【００５１】
演算装置３３Ａは、収集したデータをＵＳＢ補助記憶メディア９Ａに書き込む（ステップＳ２０５）。
【００５２】
演算装置３３Ａは、ＵＳＢ補助記憶メディア９Ａへのアクセスを禁止状態にする（ステップＳ２０６）。
【００５３】
演算装置３３Ａは、ＵＳＢ補助記憶メディア９Ａへのデータ書き込みを終了したことを表示する（ステップＳ２０７）。
【００５４】
ＵＳＢ補助記憶メディア９Ａへのデータ書き込みの終了後は、保守作業員は、以下の作業を必要に応じて行う。
【００５５】
保守作業員は、データ書き込み終了の表示が出されると、ＵＳＢ補助記憶装置９Ａを抜き取る。抜き取ったＵＳＢ補助記憶装置９Ａは、保守用ＰＣに接続する。保守作業員は、保守用ＰＣで動作するプログラムによって各種データや設定値を表示する。保守作業員は、保守用ＰＣで動作するデータの分析プログラムによって、各種データや設定値に基づいて、保護制御装置３Ａの故障箇所を特定する。保守用ＰＣは、特定した故障箇所に対して、保守作業員に修理のためのガイダンスなどを表示する。
【００５６】
保守用ＰＣは、先のデータ取得によって故障箇所が特定できなかったり、効果的なガイダンスが表示できなかった場合には、別のデータ一覧ＤＴＡを作成し、ＵＳＢ補助記憶装置９Ａに書き込むようにガイダンスを表示する。保守作業員は、保守用ＰＣに表示されたガイダンスに基づいて、データ一覧ＤＴＡの書き換えを行う。保守作業員は、データ一覧ＤＴＡを書き換えた後、ＵＳＢ補助記憶装置９Ａを保護制御装置３Ａに再接続して別のデータを取得する。保守用ＰＣは、再度取得したデータを使って分析を行い故障箇所の特定や故障箇所の詳細な状況及びより効果的なガイダンスの表示をする。
【００５７】
本実施形態によれば、第１の実施形態の作用効果に加え、以下の作用効果を得ることができる。
【００５８】
データ一覧ＤＴＡは、ＵＳＢ補助記憶装置９Ａに書き込まれているため、書き換えを容易にすることができる。このため、保守作業員は、先の操作によって故障箇所が特定できなかったり、効果的なガイダンスが表示できなかった場合には、別のデータ一覧ＤＴＡを作成し、ＵＳＢ補助記憶装置９Ａに書き込むことで、前回の収集時とは別のデータを収集することが容易にできる。
【００５９】
保守作業員は、再度取得したデータを使って分析を行い故障箇所の特定や故障箇所の詳細な状況、より効果的なガイダンスを得ることができる。
【００６０】
（第３の実施形態）
図５は、第３の実施形態に係る保護制御装置３Ｂの適用された構成を示すブロック図である。
【００６１】
保護制御装置３Ｂは、図３に示す保護制御装置３Ａにおいて、演算装置３３Ａの代わりに、演算装置３３Ｂを設けている。また、ＵＳＢ補助記憶メディア９Ｂは、ＵＳＢ補助記憶メディア９Ａにおいて、データ一覧ＤＴＡの代わりに、データ一覧ＤＴＢを格納している。その他は、第２の実施形態に係る演算装置３３Ａと同様である。
【００６２】
演算装置３３Ｂは、ＵＳＢ補助記憶メディア９Ｂからデータ一覧ＤＴＢを読み出す機能が設けられている。演算装置３３Ｂは、データ一覧ＤＴＢに基づいて、保護制御装置３Ｂのメモリ３５Ａに格納されている収集可能な設定値及びデータの一覧を作成する機能が設けられている。
【００６３】
データ一覧ＤＴＢは、複数の保護制御装置で共通に用いることができるような汎用性のあるデータ一覧である。即ち、データ一覧ＤＴＢは、挿入した保護制御装置３Ｂに保存されている可能性のある（必ずしも保存されていなくともよい）データ候補の一覧となる。従って、データ一覧ＤＴＢは、図３に示す保護制御装置３に特化したデータ一覧ＤＴより広範囲なデータ一覧となる。その他は、第２の実施形態に係るデータ一覧ＤＴと同様である。
【００６４】
図６は、第３の実施形態に係る保護制御装置３Ｂの動作を示すフローチャートである。
【００６５】
演算装置３３Ｂは、ＵＳＢ補助記憶メディア９Ｂが挿入されるまで待ち続けている（ステップＳ３０１）。
【００６６】
演算装置３３Ｂは、ＵＳＢ補助記憶メディア９ＢがＵＳＢインタフェース３９に挿入されるとＵＳＢ補助記憶メディア９Ｂを読み書き可能な状態にする（ステップＳ３０１のＹｅｓ、ステップＳ３０２）。
【００６７】
演算装置３３Ｂは、ＵＳＢ補助記憶メディア９Ｂに書き込まれたデータ一覧ＤＴＢを読み出す（ステップＳ３０３）。
【００６８】
演算装置３３Ｂは、データ一覧ＤＴＢに示されたデータ候補の中からメモリ３５Ａに保存しているデータ（収集可能なデータ）の一覧を作成する（ステップＳ３０４）。
【００６９】
演算装置３３Ｂは、ステップＳ３０５にて作成した収集可能なデータの一覧に示されたデータを収集する（ステップＳ３０５）。
【００７０】
演算装置３３Ｂは、収集したデータや設定値をＵＳＢ補助記憶メディア９Ｂに書き込む（ステップＳ３０６）。
【００７１】
演算装置３３Ｂは、ＵＳＢ補助記憶メディア９Ｂへのアクセスを禁止状態にする（ステップＳ３０７）。
【００７２】
演算装置３３Ｂは、ＵＳＢ補助記憶メディア９Ｂへのデータ書き込みを終了したことを表示する（ステップＳ３０８）。
【００７３】
ＵＳＢ補助記憶メディア９Ｂへのデータ書き込みの終了後は、以下の作業を必要に応じて行う。
【００７４】
保守作業員は、データ書き込み終了の表示が出されると、ＵＳＢ補助記憶装置９Ｂを抜き取る。抜き取ったＵＳＢ補助記憶装置９Ｂは、保守用ＰＣに接続する。保守作業員は、保守用ＰＣで動作するプログラムによって各種データや設定値を表示する。保守作業員は、保守用ＰＣで動作するデータの分析プログラムによって、各種データや設定値に基づいて、保護制御装置３Ｂの故障箇所を特定する。保守用ＰＣは、特定した故障箇所に対して、保守作業員に修理のためのガイダンスなどを表示する。
【００７５】
保守用ＰＣは、最初に収集した設定値及びデータを一時的な故障診断を行うためのデータとして、分析する。保守用ＰＣは、さらに詳細な情報を収集するために必要なデータ一覧を示すガイダンスを保守作業員に提示する。このときのデータ一覧は、必ずしも汎用性のあるデータ一覧である必要はない。
【００７６】
保守作業員は、そこに表示されたデータ一覧をＵＳＢ補助記憶装置９Ｂに書き込む。保守作業員は、新しくデータ一覧が書き込まれたＵＳＢ補助記憶装置９Ｂを保護制御装置３Ｂに接続して二次的なデータを収集する。なお、保守用ＰＣは、一時的な故障診断を行う処理そのものが自動的に二次的なデータを収集するためのデータ一覧を書き込む処理を行うものであってもよい。
【００７７】
保守作業員は、二次的なデータを収集後、保守用ＰＣで分析を行う。保守作業員は、効果的な故障診断が行えればそれを元に、故障箇所の修理や分離を行う。保守作業員は、それでも不十分な場合は、三次的、四次的にデータ収集を繰り返し、故障箇所の特定を行う。
【００７８】
本実施形態によれば、第２の実施形態の作用効果に加え、以下の作用効果を得ることができる。
【００７９】
ＵＳＢ補助記憶装置９Ｂは、書き込まれたデータ一覧ＤＴＢのうち、保守対象となる保護制御装置３Ｂがメモリ３５Ａに格納しているデータを選別して、自動的に収集することができる。これにより、保守作業員は、保護制御装置３Ｂの構成や特性などを考慮しなくとも、必要なデータを取得することができる。また、保守作業員は、故障の状況に応じて二次データ、三次データを取得することにより、詳細な故障解析を効率よくかつ柔軟に実施することができる。
【００８０】
（第４の実施形態）
図７は、第４の実施形態に係る保護制御装置３Ｃの適用された構成を示すブロック図である。
【００８１】
保護制御装置３Ｃは、図３に示す保護制御装置３Ａにおいて、演算装置３３Ａの代わりに、演算装置３３Ｃを設けている。また、ＵＳＢ補助記憶メディア９Ｃは、ＵＳＢ補助記憶メディア９Ａにおいて、データ一覧ＤＴＡの代わりに、データ取得手順ＤＴＣを格納している。
【００８２】
演算装置３３Ｃは、ＵＳＢ補助記憶メディア９Ｃからデータ取得手順ＤＴＣを読み出す機能が設けられている。演算装置３３Ｃは、データ取得手順ＤＴＣに従って、保護制御装置３Ｃのメモリ３５Ａに格納されている設定値及びデータを収集する機能が設けられている。その他は、第２の実施形態に係る演算装置３３Ａと同様である。
【００８３】
データ取得手順ＤＴＣは、メモリ３５Ａに格納されている設定値及びデータを取得するための手順である。データ取得手順ＤＴＣは、設定値及びデータを加工する手順も記載されている。データ取得手順ＤＴＣは、例えばプログラムである。ここで、プログラムは、保護制御装置３Ｃにおいて、設定値及びデータを自動的に取得できるように示されたものであればよい。プログラムは、実行手順だけを示した簡易的ものでよく、厳密にそのプログラム自体がそのまま演算装置３３Ｃで実行できる必要はない。従って、プログラムは、コンパイラ系又はインタプリタ系を問わず、それ以外の保護制御装置３Ｃにおいて解読可能に定めたファーマットに従った単なる手順の記述でもよい。
【００８４】
図８は、第４の実施形態に係る保護制御装置３Ｃの動作を示すフローチャートである。
【００８５】
演算装置３３Ｃは、ＵＳＢ補助記憶メディア９Ｃが挿入されるまで待ち続けている（ステップＳ４０１）。
【００８６】
演算装置３３Ｃは、ＵＳＢ補助記憶メディア９ＣがＵＳＢインタフェース３９に挿入されるとＵＳＢ補助記憶メディア９Ｃを読み書き可能な状態にする（ステップＳ４０１のＹｅｓ、ステップＳ４０２）。
【００８７】
演算装置３３Ｃは、ＵＳＢ補助記憶メディア９Ｃに書き込まれたデータ取得手順ＤＴＣを読み出す（ステップＳ４０３）。
【００８８】
演算装置３３Ｃは、読み出したデータ取得手順ＤＴＣに従って設定値及びデータを収集する（ステップＳ４０４）。
【００８９】
演算装置３３Ｃは、収集したデータや設定値をＵＳＢ補助記憶メディア９Ｃに書き込む（ステップＳ４０５）。
【００９０】
演算装置３３Ｃは、ＵＳＢ補助記憶メディア９Ｃへのアクセスを禁止状態にする（ステップＳ４０６）。
【００９１】
演算装置３３Ｃは、ＵＳＢ補助記憶メディア９Ｃへのデータ書き込みを終了したことを表示する（ステップＳ４０７）。
【００９２】
ＵＳＢ補助記憶メディア９Ｃへのデータ書き込みの終了後は、保守作業員は、以下の作業を必要に応じて行う。
【００９３】
保守作業員は、データ書き込み終了の表示が出されると、ＵＳＢ補助記憶装置９Ｃを抜き取る。抜き取ったＵＳＢ補助記憶装置９Ｃは、保守用ＰＣに接続する。保守作業員は、保守用ＰＣで動作するプログラムによって各種データや設定値を表示する。保守作業員は、保守用ＰＣで動作するデータの分析プログラムによって、各種データや設定値に基づいて、保護制御装置３Ｃの故障箇所を特定する。保守用ＰＣは、特定した故障箇所に対して、保守作業員に修理のためのガイダンスなどを表示する。
【００９４】
保守用ＰＣは、先のデータ取得によって故障箇所が特定できなかったり、効果的なガイダンスが表示できなかった場合には、別のデータ取得手順を作成し、ＵＳＢ補助記憶装置９Ｃに書き込むようにガイダンスを表示する。保守作業員は、保守用ＰＣに表示されたガイダンスに基づいて、データ取得手順ＤＴＣの書き換えを行う。保守作業員は、データ取得手順ＤＴＣを書き換えた後、ＵＳＢ補助記憶装置９Ｃを保護制御装置３Ｃに再接続して別のデータを取得する。保守用ＰＣは、再度取得したデータを使って分析を行い故障箇所の特定や故障箇所の詳細な状況及びより効果的なガイダンスを表示する。
【００９５】
本実施形態によれば、第１の実施形態の作用効果に加え、以下の作用効果を得ることができる。
【００９６】
データ取得手順ＤＴＣは、ＵＳＢ補助記憶装置９Ｃに書き込まれているため、書き換えを容易にすることができる。このため、保守作業員は、先の操作によって故障箇所が特定できなかったり、効果的なガイダンスが表示できなかった場合には、別のデータ取得手順ＤＴＣを作成し、ＵＳＢ補助記憶装置９Ｃに書き込むことで、前回の収集時とは別のデータを収集することが容易にできる。
【００９７】
保守作業員は、再度取得したデータを使って分析を行い故障箇所の特定や故障箇所の詳細な状況、より効果的なガイダンスを得ることができる。
【００９８】
データ取得手順ＤＴＣに基づいて、データや設定値を取得するため、メモリ３５Ａに格納されているデータや設定値そのものだけではなく、データ取得手順ＤＴＣに記述されたデータの加工を容易にできる。従って、ＵＳＢ補助記憶装置９Ｃに書き込むデータ量を減らしたり、ＰＣなどの装置で行っていた分析処理を行うことによりＵＳＢ補助記憶装置９Ｃに書き込まれたデータを処理する保守用ＰＣが低機能なものであっても利用できるようになり、保守用ＰＣなどの分析装置を簡素化することができる。
【００９９】
（第５の実施形態）
図９は、第５の実施形態に係る保護制御装置３Ｄの適用された構成を示すブロック図である。
【０１００】
保護制御装置３Ｄは、図７に示す保護制御装置３Ｃにおいて、演算装置３３Ｃの代わりに、演算装置３３Ｄを設けている。また、ＵＳＢ補助記憶メディア９Ｄは、ＵＳＢ補助記憶メディア９Ｄにおいて、データ取得手順ＤＴＣの代わりに、データ取得手順ＤＴＤを格納している。
【０１０１】
演算装置３３Ｄは、ＵＳＢ補助記憶メディア９Ｄからデータ取得手順ＤＴＤを読み出す機能が設けられている。演算装置３３Ｄは、設定値を読み出し、装置構成や装置の特性を特定する機能が設けられている。演算装置３３Ｄは、データ取得手順ＤＴＤに従って、保護制御装置３Ｄのメモリ３５Ａに格納されている設定値及びデータを収集する機能が設けられている。その他は、第４の実施形態に係る演算装置３３Ｃと同様である。
【０１０２】
データ取得手順ＤＴＤは、演算装置３３Ｄが最初に設定値を読み出せる手順となっている点以外は、第４の実施形態に係るデータ取得手順ＤＴＣと同様である。
【０１０３】
図１０は、第５の実施形態に係る保護制御装置３Ｄの動作を示すフローチャートである。
【０１０４】
演算装置３３Ｄは、ＵＳＢ補助記憶メディア９Ｄが挿入されるまで待ち続けている（ステップＳ５０１）。
【０１０５】
演算装置３３Ｄは、ＵＳＢ補助記憶メディア９ＤがＵＳＢインタフェース３９に挿入されるとＵＳＢ補助記憶メディア９Ｄを読み書き可能な状態にする（ステップＳ５０１のＹｅｓ、ステップＳ５０２）。
【０１０６】
演算装置３３Ｄは、ＵＳＢ補助記憶メディア９Ｄに書き込まれたデータ取得手順ＤＴＤを読み出す（ステップＳ５０３）。
【０１０７】
演算装置３３Ｄは、設定値を読み出し、保護制御装置３Ｄの装置構成や装置の特性を特定する（ステップＳ５０４）。
【０１０８】
演算装置３３Ｄは、データ取得手順ＤＴＤに従ってデータ収集をするとき、設定値を参照して装置構成に一致したデータだけを収集する（ステップＳ５０５）。
【０１０９】
演算装置３３Ｄは、収集したデータや設定値をＵＳＢ補助記憶メディア９Ｄに書き込む（ステップＳ５０６）。
【０１１０】
演算装置３３Ｄは、ＵＳＢ補助記憶メディア９Ｄへのアクセスを禁止状態にする（ステップＳ５０７）。
【０１１１】
演算装置３３Ｄは、ＵＳＢ補助記憶メディア９Ｄへのデータ書き込みを終了したことを表示する（ステップＳ５０８）。
【０１１２】
ＵＳＢ補助記憶メディア９Ｄへのデータ書き込みの終了後は、保守作業員は、以下の作業を必要に応じて行う。
【０１１３】
保守作業員は、データ書き込み終了の表示が出されると、ＵＳＢ補助記憶装置９Ｄを抜き取る。抜き取ったＵＳＢ補助記憶装置９Ｄは、保守用ＰＣに接続する。保守作業員は、保守用ＰＣで動作するプログラムによって各種データや設定値を表示する。保守作業員は、保守用ＰＣで動作するデータの分析プログラムによって、各種データや設定値に基づいて、保護制御装置３Ｄの故障箇所を特定する。保守用ＰＣは、特定した故障箇所に対して、保守作業員に修理のためのガイダンスなどを表示する。
【０１１４】
保守用ＰＣは、先のデータ取得によって故障箇所が特定できなかったり、効果的なガイダンスが表示できなかった場合には、別のデータ取得手順を作成し、ＵＳＢ補助記憶装置９Ｄに書き込むようにガイダンスを表示する。保守作業員は、保守用ＰＣに表示されたガイダンスに基づいて、データ取得手順ＤＴＤの書き換えを行う。保守作業員は、データ取得手順ＤＴＤを書き換えた後、ＵＳＢ補助記憶装置９Ｄを保護制御装置３Ｄに再接続して別のデータを取得する。保守用ＰＣは、再度取得したデータを使って分析を行い故障箇所の特定や故障箇所の詳細な状況及びより効果的なガイダンスを表示する。
【０１１５】
本実施形態によれば、第４の実施形態の作用効果に加え、以下の作用効果を得ることができる。
【０１１６】
保護制御装置３Ｄの設定値を読み出して、装置構成や装置の特性を判断して、装置固有のデータを収集することにより、取得するデータや設定値を必要十分な量に減らすことができる。また、効率よくデータ収集ができるため、一回のデータ取得操作により故障箇所を特定し易くなり、二次データの取得が必要でなくなるようなデータや設定値を収集することができる可能性が高くなる。これにより、データの取得における保守作業員の作業を省力化することができる。
【０１１７】
（第６の実施形態）
図１１は、第６の実施形態に係る保護制御装置３Ｅの適用された構成を示すブロック図である。
【０１１８】
保護制御装置３Ｅは、図９に示す保護制御装置３Ｄにおいて、演算装置３３Ｄの代わりに、演算装置３３Ｅを設け、メモリ３５Ａの代わりにメモリ３５Ｅを設けたものである。その他は、第５の実施形態と同様である。
【０１１９】
メモリ３５Ｅは、予め定義されたデータ取得手順ＤＴＥを格納している。データ取得手順ＤＴＥは、メモリ３５Ｅに設けられている点以外は、第５の実施形態に係るデータ取得手順ＤＴＤと同様である。
【０１２０】
演算装置３３Ｅは、メモリ３５に格納されているデータ取得手順ＤＴＥを読み出す機能が設けられている。演算装置３３Ｅは、ＵＳＢ補助記憶メディア９Ｄからデータ取得手順ＤＴＤを読み出す機能が設けられている。演算装置３３Ｅは、設定値を読み出し、装置構成や装置の特性を特定する機能が設けられている。演算装置３３Ｅは、データ取得手順ＤＴＤ及びデータ取得手順ＤＴＥに従って、保護制御装置３Ｅのメモリ３５Ｅに格納されている設定値及びデータを収集する機能が設けられている。その他は、第５の実施形態に係る演算装置３３Ｄと同様である。
【０１２１】
図１２は、第６の実施形態に係る保護制御装置３Ｅの動作を示すフローチャートである。
【０１２２】
演算装置３３Ｅは、ＵＳＢ補助記憶メディア９Ｄが挿入されるまで待ち続けている（ステップＳ６０１）。
【０１２３】
演算装置３３Ｅは、ＵＳＢ補助記憶メディア９ＤがＵＳＢインタフェース３９に挿入されるとＵＳＢ補助記憶メディア９Ｄを読み書き可能な状態にする（ステップＳ６０１のＹｅｓ、ステップＳ６０２）。
【０１２４】
演算装置３３Ｅは、ＵＳＢ補助記憶メディア９Ｄに書き込まれたデータ取得手順ＤＴＤを読み出す（ステップＳ６０３）。
【０１２５】
演算装置３３Ｅは、設定値を読み出し、保護制御装置３Ｅの装置構成や装置の特性を特定する（ステップＳ６０４）。
【０１２６】
演算装置３３Ｅは、データ取得手順ＤＴＤに従ってデータ収集をするとき、設定値を参照して装置構成に一致したデータだけを収集する（ステップＳ６０５）。
【０１２７】
演算装置３３Ｅは、メモリ３５Ｅに格納されたデータ取得手順ＤＴＥを読み出す（ステップＳ６０６）。
【０１２８】
演算装置３３Ｅは、データ取得手順ＤＴＥに従ってデータ収集をするとき、設定値を参照して装置構成に一致したデータだけを収集する（ステップＳ６０７）。
【０１２９】
演算装置３３Ｅは、ステップＳ６０５及びステップＳ６０７において収集したデータや設定値をＵＳＢ補助記憶メディア９Ｄに書き込む（ステップＳ６０８）。
【０１３０】
演算装置３３Ｅは、ＵＳＢ補助記憶メディア９Ｄへのアクセスを禁止状態にする（ステップＳ６０９）。
【０１３１】
演算装置３３Ｅは、ＵＳＢ補助記憶メディア９Ｄへのデータ書き込みを終了したことを表示する（ステップＳ６１０）。
【０１３２】
ＵＳＢ補助記憶メディア９Ｄへのデータ書き込みの終了後は、保守作業員は、第５の実施形態と同様の作業を行う。
【０１３３】
本実施形態によれば、第４の実施形態の作用効果に加え、以下の作用効果を得ることができる。
【０１３４】
保護制御装置３Ｅの内部に予め保存されているデータ取得手順ＤＴＥとＵＳＢ補助記憶メディア９Ｄに記述されたデータ取得手順ＤＴＤを組み合せることによって、効率良く保護制御装置３Ｅ固有のデータを収集することができ、最適でかつ柔軟なデータを収集できる。これにより、保守作業員は、保護制御装置３Ｅの障害箇所の特定や障害箇所の修理や分離を容易に行うことができる。
【０１３５】
（第７の実施形態）
図１３は、第７の実施形態に係る保護制御装置３Ｆの適用された構成を示すブロック図である。
【０１３６】
保護制御装置３Ｆは、図９に示す保護制御装置３において、演算装置３Ｄの代わりに、演算装置３３Ｆを設けたのである。
【０１３７】
演算装置３３Ｆは、メモリ３５Ａに保存されているデータが上書きされる時に、ＵＳＢ補助記憶メディア９に古いデータを書き込む機能を設けたものである。その他は、第１の実施形態に係る演算装置３３と同様である。
【０１３８】
図１４は、第７の実施形態に係る保護制御装置３Ｆの動作を示すフローチャートである。
【０１３９】
保護制御装置３Ｆに、間欠的に故障が発生する場合や故障が発生する予兆がある時に、保守作業員は、ＵＳＢインタフェース３９にＵＳＢ補助記憶メディア９Ｄを挿入する。
【０１４０】
演算装置３３Ｆは、ＵＳＢ補助記憶メディア９Ｄが挿入されるまで待ち続けている（ステップＳ７０１）。
【０１４１】
演算装置３３Ｆは、ＵＳＢ補助記憶メディア９ＤがＵＳＢインタフェース３９に挿入されるとＵＳＢ補助記憶メディア９を読み書き可能な状態にする（ステップＳ７０１のＹｅｓ、ステップＳ７０２）。
【０１４２】
演算装置３３Ｆは、メモリ３５Ｅにデータが上書きされる時まで待つ（ステップＳ７０３）。
【０１４３】
演算装置３３Ｆは、ＵＳＢ補助記憶メディア９Ｄに書き込まれたデータ取得手順ＤＴＤを読み出す（ステップＳ７０３のＹｅｓ、ステップＳ７０４）。
【０１４４】
演算装置３３Ｆは、データ取得手順ＤＴＤに従って、設定値やデータを収集する（ステップＳ７０５）。
【０１４５】
演算装置３３Ｆは、メモリ３５Ｅに格納されたデータ取得手順ＤＴＥを読み出す（ステップＳ７０６）。
【０１４６】
演算装置３３Ｆは、データ取得手順ＤＴＥに従って、設定値やデータを収集する（ステップＳ７０７）。
【０１４７】
演算装置３３Ｅは、ステップＳ７０５及びステップＳ７０７において収集したデータや設定値をＵＳＢ補助記憶メディア９Ｄに書き込む（ステップＳ７０８）。
【０１４８】
演算装置３３Ｅは、ＵＳＢ補助記憶メディア９Ｄに記録されていた、データ保存回数になっていなければ、ステップＳ７０３に戻り、継続してデータの書き込みを繰り返す（ステップＳ７０９のＮｏ）。
【０１４９】
演算装置３３Ｅは、ＵＳＢ補助記憶メディア９Ｄに記録されていた、データ保存回数になっていれば、ＵＳＢ補助記憶メディア９Ｄへのアクセスを禁止状態にする（ステップＳ７１０）。
【０１５０】
演算装置３３Ｅは、ＵＳＢ補助記憶メディア９Ｄへのデータ書き込みを終了したことを表示する（ステップＳ７１１）。
【０１５１】
ここでは、書き込みを終了する条件として、ＵＳＢ補助記憶メディア９Ｄにデータ保存回数を書き込んでおき、この回数だけ書き込むこととしたが、他の方法であってもよい。例えば、操作員の終了指示の入力や、ＵＳＢ補助記憶メディア９Ｄが一杯になるまで書き込んだり、１ヶ月間などの期間を指定して書き込みを終了するなどでもよい。
【０１５２】
本実施形態では、故障の発生又は予兆後に、ＵＳＢ補助記憶メディア９Ｄを挿入したままにしておく。通常時、メモリ３５に保存する各種データは、数日分あるいは数週間分を保存する。それより長い日数分のデータは、古いデータから順番に上書きする。メモリ３５Ｅに保存されているデータが上書きされる時に、ＵＳＢ補助記憶メディア９Ｄに古いデータを書き込む。
【０１５３】
このようにして、故障が発生した時に装置内に保存していたデータを、ＵＳＢ補助記憶メディア９Ｄを挿入した時に、一時的にデータを取得するだけでなく、間欠的に故障が発生する場合や故障が発生する予兆がある時に、継続的にデータを収集することができる。
【０１５４】
故障の状況によっては、一時的に取得したデータでは故障箇所や詳細原因の特定が困難な場合がある。このようなときに、複数のデータを比較して、故障箇所を特定したり故障の詳細を分析する必要がある。このような場合においても、継続的にデータを収集する事により故障箇所や詳細原因の特定が可能となり、耐障害性を高める事が可能となる。
【０１５５】
例えば、長い周期で間欠的に発生する故障のデータを数回分保存して、このような故障の解析を行う。また、徐々に機能が劣化するような部品のデータを長時間保存して、これを解析する。このようにすることにより、故障の予兆を見極め、故障が発生する前に部品交換の準備を行ったり、実際に部品の交換を行ったりすることができる。
【０１５６】
（第８の実施形態）
図１５は、第８の実施形態に係る保護制御装置３Ｇの適用された構成を示すブロック図である。
【０１５７】
保護制御装置３Ｇは、図１に示す保護制御装置３において、演算装置３３の代わりに、演算装置３３Ｇを設けている。また、保護制御装置３Ｇには、ネットワークインタフェース３８を介して、外部装置２３Ｇが接続されている。外部装置２３Ｇは、例えばＰＣである。
【０１５８】
演算装置３３Ｇは、ネットワークインタフェース３８を通して接続された外部装置２３Ｇからの操作によって、ＵＳＢ補助記憶メディア９に設定値Ｄ３５１や各種データＤ３５２を書き込むための処理を行う。例えば、演算装置３３Ｇは、外部装置２３Ｇからの操作によって、取得するデータ一覧を指定したり、データ取得開始を指示したりする。また、演算装置３３Ｇは、ＵＳＢ補助記憶メディア９への書き込みが完了すると、外部装置２３Ｇなどに、書き込み完了示す表示をする。その他は、第１の実施形態に係る演算装置３３と同様である。
【０１５９】
本実施形態によれば、ＵＳＢ補助記憶メディア９に書き込むべきデータ一覧やデータ取得手順を誤って紛失した場合などでも設定値Ｄ３５１や各種データＤ３５２を取得することができる。また、外部装置２３Ｇを用いて操作することにより、遠隔地からでも的確な情報をＵＳＢ補助記憶メディア９に書き込むことができる。
【０１６０】
ここでは、第１の実施形態に付加した機能として説明したが、その他の実施形態に付加した機能としてもよい。その場合、付加する実施形態の作用効果と本実施形態の作用効果を奏する実施形態とすることができる。
【０１６１】
（第９の実施形態）
図１６は、第９の実施形態に係る保護制御装置３Ｈの適用された構成を示すブロック図である。
【０１６２】
保護制御装置３Ｈは、図３に示す保護制御装置３Ａにおいて、演算装置３３Ａの代わりに、演算装置３３Ｈを設けている。ＵＳＢ補助記憶メディア９Ｈは、符号ＣＤが書き込まれている。その他は、第２の実施形態に係るＵＳＢ補助記憶メディア９Ａと同様である。
【０１６３】
演算装置３３Ｈは、ＵＳＢ補助記憶メディア９Ｈのデータ一覧ＤＴＡを参照する前に、符号ＣＤを参照する。演算装置３３Ｈは、符号ＣＤに基づいて、ＵＳＢ補助記憶メディア９Ｈが正式なものか否かを判定する。
【０１６４】
演算装置３３Ｈは、ＵＳＢ補助記憶メディア９Ｈが正式なものであると判断した場合は、ＵＳＢ補助記憶メディア９Ｈにデータ等を書き込むための次の処理を行う。次の処理とは、例えば、ＵＳＢ補助記憶メディア９Ｈのデータ一覧ＤＴＡを参照する処理、データ取得、又はＵＳＢ補助記憶メディア９Ｈへの書き込みなどの処理である。
【０１６５】
演算装置３３Ｈは、ＵＳＢ補助記憶メディア９Ｈにデータを書き込む際に、暗号化を行う。暗号化は、不正な第三者にＵＳＢ補助記憶メディア９Ｈが渡った場合でも、読み出しができないようにするものである。
【０１６６】
その他は、演算装置３３Ｈは、第２の実施形態に係る演算装置３３Ａと同様である。
【０１６７】
本実施形態によれば、第２実施形態の作用効果に加え、以下の作用効果を得ることができる。
【０１６８】
正式な保守作業員が正式なＵＳＢ補助記憶メディア９Ｈを用いて作業をしていることを明らかにするため、ＵＳＢ補助記憶メディア９Ｈにデータ一覧ＤＴＡやデータ取得手順以外に正式であることを示す符合ＣＤなどが書き込まれている。これにより、演算装置３３ＨがＵＳＢ補助記憶メディア９Ｈのデータ一覧やデータ取得手順を参照する前に、この符合ＣＤをチェックすることで、第三者によって不正に内部データや設定値が取得されたり、ＵＳＢ補助記憶メディア９Ｈに保存されたデータや設定値が不正に参照される可能性を防止することができる。
【０１６９】
また、書き込む際に、暗号化を行うため、不正なデータ取得や不正なデータ参照を回避することができる。
【０１７０】
ここでは、第２の実施形態に付加した機能として説明したが、その他の実施形態に付加した機能としてもよい。その場合、付加する実施形態の作用効果と本実施形態の作用効果を奏する実施形態とすることができる。
【０１７１】
なお、各実施形態において、保護制御装置を用いて説明したがこれに限らない。保護制御装置であって、故障時等にデータの分析を必要とするものであれば、保護系又は制御系などの装置の性質は問わずに、適用することができる。保護制御装置は、電力系統に関する設備に指令を出力する全般の装置である。例えば、保護制御装置は、変圧器や調相設備などに指令をし、電力系統の電圧や調相を制御するものでもよい。また、保護制御装置は、電力系統の状態に応じて、監視装置などに異常を表示したり、警報をしたりするものであってもよい。
【０１７２】
各実施形態では、データを格納するために、ＵＳＢインタフェース３９を設け、ＵＳＢ補助記憶メディア９を使用したが、他の種類のインタフェース及び補助記憶メディアを用いてもよい。
【０１７３】
各実施形態において、１度目のデータ収集の方式は、２度目のデータ収集の方式を限定するものではない。即ち、２度目のデータ収集の方式は、１度目のデータ収集の方式と異なるものでもよく、各実施形態を任意に組み合せてデータ収集を行うことができる。３度目以降のデータ収集においても同様である。例えば、１度目のデータ収集で、データ取得手順に基づいてデータ収集を行い、２度目のデータ収集でデータ一覧に基づいてデータ収集を行ってもよい。
【０１７４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合せてもよい。
【図面の簡単な説明】
【０１７５】
【図１】本発明の第１の実施形態に係る保護制御装置３の適用された構成を示すブロック図。
【図２】第１の実施形態に係る保護制御装置の動作を示すフローチャート。
【図３】第２の実施形態に係る保護制御装置の適用された構成を示すブロック図。
【図４】第２の実施形態に係る保護制御装置の動作を示すフローチャート。
【図５】第３の実施形態に係る保護制御装置の適用された構成を示すブロック図。
【図６】第３の実施形態に係る保護制御装置の動作を示すフローチャート。
【図７】第４の実施形態に係る保護制御装置の適用された構成を示すブロック図。
【図８】第４の実施形態に係る保護制御装置の動作を示すフローチャート。
【図９】第５の実施形態に係る保護制御装置の適用された構成を示すブロック図。
【図１０】第５の実施形態に係る保護制御装置の動作を示すフローチャート。
【図１１】第６の実施形態に係る保護制御装置の適用された構成を示すブロック図。
【図１２】第６の実施形態に係る保護制御装置の動作を示すフローチャート。
【図１３】第７の実施形態に係る保護制御装置の適用された構成を示すブロック図。
【図１４】第７の実施形態に係る保護制御装置の動作を示すフローチャート。
【図１５】第８の実施形態に係る保護制御装置の適用された構成を示すブロック図。
【図１６】第９の実施形態に係る保護制御装置の適用された構成を示すブロック図。
【符号の説明】
【０１７６】
１…電力系統、３…保護制御装置、９…ＵＳＢ補助記憶装置、２１…主保護装置、２２…異常表示器、２３…外部装置、３１…アナログ入力回路、３２…Ａ／Ｄ変換器、３３…演算装置、３４…Ｄ／Ｏ回路、３５…メモリ、３６…操作スイッチ、３７…表示器、３８…ネットワークインタフェース、３９…ＵＳＢインタフェース、Ｄ３５１…設定値、Ｄ３５２…各種データ、ＤＴ…データ一覧。
【図１】
2008141844.tif 000003
【図２】
2008141844.tif 000004
【図３】
2008141844.tif 000005
【図４】
2008141844.tif 000006
【図５】
2008141844.tif 000007
【図６】
2008141844.tif 000008
【図７】
2008141844.tif 000009
【図８】
2008141844.tif 000010
【図９】
2008141844.tif 000011
【図１０】
2008141844.tif 000012
【図１１】
2008141844.tif 000013
【図１２】
2008141844.tif 000014
【図１３】
2008141844.tif 000015
【図１４】
2008141844.tif 000016
【図１５】
2008141844.tif 000017
【図１６】
2008141844.tif 000018